(57)【要約】【課題】動物が糞をする姿勢をとった際に、短時間で糞をとる準備ができ、動物の肛門付近に保持して糞を回収することができ、しかも不使用時にはコンパクトになり、比較的持ち運びがしやすく携帯に適する糞取り器を提供する。【解決手段】糞取り器１０は、糞取り袋１２と、略同一の一対の保持体本体１６がその中間部分に形成された枢軸２４により回動自在に固定された保持体１４とからなり、前記保持体本体１６は、手で糞取り器１０を保持するための把持部２０と、糞取り袋１２の開口部５２に形成された筒状部５４に挿入して糞取り袋１２を保持する袋保持部２２と、前記把持部２０と袋保持部２２との間に形成された枢軸２４を回動自在に固定する枢軸部２６とを備え、前記袋保持部２２が枢軸２４を中心にして回動し糞取り袋１２の開口部５２を開閉自在とすることができるように構成されている。【選択図】図７
2005176768.tif 000002
【特許請求の範囲】
【請求項１】
糞取り袋と、略同一の一対の保持体本体がその中間部分に形成された枢軸により回動自在に固定された保持体とからなり、
前記保持体本体は、
手で糞取り器を保持するための把持部と、
糞取り袋の開口部に形成された筒状部に挿入して糞取り袋を保持する袋保持部と、
前記把持部と袋保持部との間に形成された枢軸を回動自在に固定する枢軸部とを備え、
前記袋保持部が枢軸を中心にして回動し糞取り袋の開口部を開閉自在とすることができるように構成された、
糞取り器。
【請求項２】
袋保持部は、
嵌挿孔が形成された基部と、
前記基部の嵌挿孔に伸縮自在に嵌挿された棒状部とを備え、
前記棒状部を伸ばしたとき、伸ばした状態で基部に固定されるように形成された、請求項１に記載の糞取り器。
【請求項３】
前記棒状部は円柱杆で、その先端に基部の嵌挿孔に入り込まないようにするためのストッパが形成され、
前記ストッパは、円柱杆より差し出て形成された、請求項２に記載の糞取り器。
【請求項４】
袋保持部は、
棒状部の基部側の基端に嵌合部が形成され、且つ、
基部の嵌挿孔に嵌合部が形成され、
前記棒状部の嵌合部と基部の嵌合部とを嵌合させて、棒状部を伸ばした状態で基部に固定されるように形成された、請求項２または３に記載の糞取り器。
【請求項５】
糞取り袋は、
紙で形成され、
袋状部と該袋状部の上端に形成された開口部とを備え、
前記開口部の周縁には、前記保持体の袋保持部を挿入するための筒状部が形成された、請求項１ないし４のいずれかに記載の糞取り器。
【請求項６】
糞取り袋は、その筒状部に、開口部を締めるための紐が挿入され、紐を結んで開口部を締めるように形成された、請求項１ないし５のいずれかに記載の糞取り器。
【発明の詳細な説明】
【技術分野】
【０００１】
この発明は、糞取り器に関し、特に、例えばペット用の犬または猫などの愛玩動物が糞をする姿勢をしたとき、その肛門近くに保持して糞を取ることができる糞取り器に関する。
【背景技術】
【０００２】
従来より、ペット用の犬を散歩させているとき、ペット用の犬がした糞を取り込み、散歩後に糞を取り出すことができる携帯用糞取り器が提案さえており、例えば、特開２００１−５４３３２号公報にそれが開示されている。
この糞取り器は、掛け環に糞回収袋の開口縁を掛け、止め環を掛け環に係合させて挟持し、柄部材先端に糞回収袋を着脱自在に保持するもので、散歩中に犬が糞をする姿勢をとった際、柄部材先端を差し出せば糞回収袋に糞が落下することにより収容した後、掛け環と止め環の係合を解除し糞回収袋を柄部材から外し、糞を糞回収袋ごと回収するように構成されている。
【０００３】
【特許文献１】特開２００１−５４３３２号公報
【発明の開示】
【発明が解決しようとする課題】
【０００４】
従来のペット用の犬の携帯用糞取り器は、ポケットに入れて携帯できるサイズなどのような小型化を図ることが出来ない構造であり、また袋の着脱に時間がかかり、散歩途中に犬が糞をする姿勢をしたときに準備が間に合わない可能性もある。また、袋は、このペット用犬の糞取り器に適合するものを作らなければならず、例えば、再生紙を利用した環境保護に適する紙などで作るには適さないものである。
【０００５】
それゆえに、この発明の主たる目的は、動物が糞をする姿勢をとった際に、短時間で糞をとる準備ができ、動物の肛門付近に保持して糞を回収することができ、しかも不使用時にはコンパクトになり、比較的持ち運びがしやすく携帯に適する糞取り器を提供することである。
【課題を解決するための手段】
【０００６】
この発明の請求項１にかかる糞取り器は、糞取り袋と、略同一の一対の保持体本体がその中間部分に形成された枢軸により回動自在に固定された保持体とからなり、前記保持体本体は、手で糞取り器を保持するための把持部と、糞取り袋の開口部に形成された筒状部に挿入して糞取り袋を保持する袋保持部と、前記把持部と袋保持部との間に形成された枢軸を回動自在に固定する枢軸部とを備え、前記袋保持部が枢軸を中心にして回動し糞取り袋の開口部を開閉自在とすることができるように構成された、糞取り器である。
この発明の請求項２にかかる糞取り器は、袋保持部は、嵌挿孔が形成された基部と、前記基部の嵌挿孔に伸縮自在に嵌挿された棒状部とを備え、前記棒状部を伸ばしたとき、伸ばした状態で基部に固定されるように形成された、請求項１に記載の糞取り器である。
この発明の請求項３にかかる糞取り器は、前記棒状部は円柱杆で、その先端に基部の嵌挿孔に入り込まないようにするためのストッパが形成され、前記ストッパは、円柱杆より差し出て形成された、請求項２に記載の糞取り器である。
この発明の請求項４にかかる発明は、袋保持部は、棒状部の基部側の基端に嵌合部が形成され、且つ、基部の嵌挿孔に嵌合部が形成され、前記棒状部の嵌合部と基部の嵌合部とを嵌合させて、棒状部を伸ばした状態で基部に固定されるように形成された、請求項２または３に記載の糞取り器である。
この発明の請求項５にかかる糞取り器は、糞取り袋は、紙で形成され、袋状部と該袋状部の上端に形成された開口部とを備え、前記開口部の周縁には、前記保持体の袋保持部を挿入するための筒状部が形成された、請求項１ないし４に記載の糞取り器である。
この発明の請求項６にかかる糞取り器は、糞取り袋は、その筒状部に、開口部を締めるための紐が挿入され、紐を結んで開口部を締めるように形成された、請求項１ないし５のいずれかに記載の糞取り器である。
【発明の効果】
【０００７】
この請求項１の発明によれば、ペット用犬などの動物の糞を取る袋の開口部に形成された筒状部に袋保持部を挿入して糞取り袋を保持することができるので、動物が糞を出そうとする姿勢をしたとき、その動物の様子を見ながらポケットなどの収容部から糞取り器を取り出すことができ、比較的短時間で糞取り袋をセットすることができる。そして、人が把持部を片手で握り、糞取り袋の開口部を開けて動物の肛門付近にあてれば、糞を道路などに落とさず且つ使用者の手を汚さずに、肛門から出た糞を直接糞取り袋に収容することができ、糞を取った後は、袋保持部より糞取り袋を外し、簡単に処理をすることができるので、お年寄りから比較的小さな子供まで誰でも容易に取り扱える。
したがって、手を汚さず衛生的に使えるために人間にも優しく、また、動物の肛門近傍に保持することができるので、動物を傷つけるおそれもなく安全性も高いために動物にも優しい、極めて簡単便利に使うことが出来る糞取り器を得ることができる。
請求項２及び４の発明によれば、袋保持部は、棒状部を伸ばしたとき、基部に伸ばした状態で固定されるように形成されているので、動物が糞を出そうとする姿勢をとったとき、その様子を見ながら比較的短時間で糞取り袋をセットすることができ、糞を道路や道端に落とすことなく糞取り袋に回収することができる。
請求項３の発明によれば、袋保持部は、伸縮自在で、携帯時や不使用時には棒状部を基部に収納した状態でコンパクトにすることができ、例えば、ポケットに入れて持ち歩くことができ携帯に便利であり、また、棒状部は、ストッパにより基部の嵌挿孔内に入り込むことがないので、円柱杆を基部より引き出しやすく、比較的短時間で袋保持部に糞取り袋をセットすることができる。
請求項５の発明によれば、糞取り袋は、筒状部に保持体の袋保持部を挿入して、糞取り袋を保持し、その開口部を開けて糞を取ることができるために、糞の回収が容易で、また、紙製であるためその処理をするにも有毒物質が出ないなど後処理が容易で、さらにまた、再生紙の利用も可能であるので、環境保護の面にも役に立つ。
請求項６の発明によれば、糞を取った後、紐を引っ張って、開口部を締め、紐を結んで開口部を締めて処理をすることができ、お年寄りから幼児まで誰でも容易に取り扱うことができ、極めて簡単便利な糞取り器を得ることができる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１は、この発明の一実施の形態である糞取り器を構成する保持体の正面図解図であり、図２は、図１図示保持体の使用方法を示す正面図解図であり、図３は、図１図示保持体の携帯時の状態を示す正面図解図であり、図４は、この発明の一実施の形態である糞取り器を構成する糞取り袋の正面図解図であり、図５は、図４図示糞取り袋の開口部を開いた状態を示す斜視図解図であり、図６は、図４図示糞取り袋の開口部を閉めた状態を示す斜視図解図であり、図７は、この発明の一実施の形態である糞取り器を使用する方法を示す斜視図解図であり、図８は、この発明の一実施の形態である糞取り器の保持体に糞取り袋を保持させた状態を示す斜視図解図であり、図９は、この発明の一実施の形態である糞取り器によって犬の糞を取る状態を示す斜視図解図である。
【００１０】
この糞取り器１０は、ペット用の犬の糞を収容する糞取り袋１２と、該糞取り袋１２を保持する保持体１４とからなる。
保持体１４は、略同一の一対の保持体本体１６が、その中間部分に形成された枢軸２４により回動自在に固定され、片手で操作して、保持体１４に糞取り袋１２を保持させた状態で糞取り袋１２を開閉することができるように構成されている。
【００１１】
前記保持体本体１６は、人が手で保持体１４を保持するための把持部２０と、糞を取る糞取り袋１２の開口部５２の筒状部５４に挿入して該糞取り袋１２を保持する袋保持部２２と、前記把持部２０と袋保持部２２との間に形成された枢軸２４を回動自在に固定する枢軸部２６とを備える。前記袋保持部２２は、把持部２０側を手で枢軸２４を中心にして回動し、糞取り袋１２の開口部５２を開閉自在とすることができるように構成されている。
【００１２】
把持部２０は、人の手のひらを宛がう当接部３０と、該当接部３０に連設され、人の手の甲を覆う湾曲部３２とを備える。湾曲部３２は、枢軸部２６側の一端と、その枢軸部２６とは人の手の長さより若干長い距離をおいた後端との間に環状に形成されている。
そして、一対の保持体本体１６のうち、一方の保持体本体１６の湾曲部３２内に手の甲側を入れ、もう一方の保持体本体１６の当接部３０に手の平および親指の手の平側を当接し、手の握りと離す動作で把持部２０を操作することが出来るように構成されている。
【００１３】
袋保持部２２は、把持部２０の当接部３０に枢軸部２６を介して連設されている。
袋保持部２２は、嵌挿孔３４が穿設された略円筒状基部３６と、前記基部３６の嵌挿孔３４に伸縮自在に嵌挿された棒状部３８とを備える。
棒状部３８の基部３６側の基端に嵌合部４０が形成され、且つ、基部３６にもその嵌挿孔３４に嵌合部４２が形成されている。
そして、棒状部３８の嵌合部４０と基部３６の嵌合部４２とを嵌合させて、棒状部３８を基部３６側より伸ばした状態で基部３６に固定されるように形成されている。
【００１４】
この実施の形態においては、棒状部３８の嵌合部４０は、円環状に凹んだ嵌合凹部４０ａが形成され、基部３６の嵌合部４２は、前記棒状部３８の嵌合部４０に嵌合するため、基部３６の嵌挿孔３４より内側に向けて、すなわち棒状部３８の嵌合部４０側に向けて突き出た環状の嵌合凸部４２ａが形成されている。
【００１５】
棒状部３８は、略全体が円柱杆で形成され、その基部３６側の基端に、嵌合部４０が形成されている。嵌合部４０は、基部３６より抜け出ないようにするための柱状の塊で、その円柱杆よりその径が大きく形成され、基部３６の先端部に形成された突縁３６ａによって基部３６から棒状部３８が抜け出ないように形成されている。
【００１６】
また、棒状部３８は、全体が円柱杆であり、その先端（前記嵌合部４０とは反対側の端）には、基部３６の嵌挿孔３４に棒状部３８を収納するときに、基部３６の嵌挿孔３４内にその全体が入り込まないようにするためのストッパ４４が形成されている。
このストッパ４４は、円柱杆より側方に差し出た扁平球状に形成されている。
【００１７】
この実施の形態においては、保持体本体１６を構成する把持部２０、枢軸部２６及び袋保持部２２を構成する基部３６が携帯に便利なように軽量にするために、カーボンブラックを用いた素材、グラスファイバー、軽量な金属またはプラスチックなどによって一体成形されている。
【００１８】
糞取り袋１２は、中が中空の正面方形の袋状部５０と、該袋状部５０の上端に形成された開口部５２とを備え、開口部５２の周縁には、前記保持体１４の袋保持部２２を挿入するための筒状部５４が形成され、その全体が紙で形成されている。
【００１９】
この実施の形態においては、糞取り袋１２は、その筒状部５４に開口部５２を締めるための紐５６が挿入され、紐５６を結んで開口部５２を締めるように形成されている。
この糞取り袋１２は、ペット用犬の糞を取った後、紐５６で開口部５２が簡単に締められ、また、紙製のため、例えば再生紙を利用することにより環境保全に寄与することができる。
しかも、糞取り袋１２に糞を収納した状態で、その処理を簡便に行うことができる。
【図面の簡単な説明】
【００２０】
【図１】この発明の一実施の形態である糞取り器を構成する保持体の正面図解図である。
【図２】図１図示保持体の使用方法を示す正面図解図である。
【図３】図１図示保持体の携帯時の状態を示す正面図解図である。
【図４】この発明の一実施の形態である糞取り器を構成する糞取り袋の正面図解図である。
【図５】図４図示糞取り袋の開口部を開いた状態を示す斜視図解図である。
【図６】図４図示糞取り袋の開口部を閉めた状態を示す斜視図解図である。
【図７】この発明の一実施の形態である糞取り器を使用する方法を示す斜視図解図である。
【図８】この発明の一実施の形態である糞取り器の保持体に糞取り袋を保持させた状態を示す斜視図解図である。
【図９】この発明の一実施の形態である糞取り器によって犬の糞を取る状態を示す斜視図解図である。
【符号の説明】
【００２１】
１０  糞取り器
１２  糞取り袋
１４  保持体
１６  保持体本体
２０  把持部
２２  袋保持部
２４  枢軸
２６  枢軸部
３０  当接部
３２  湾曲部
３４  嵌挿孔
３６  基部
３６ａ  突縁
３８  棒状部
４０  嵌合部
４０ａ  嵌合凹部
４２  嵌合部
４２ａ  嵌合凸部
４４  ストッパ
５０  袋状部
５２  開口部
５４  筒状部
５６  紐
【図１】
2005176768.tif 000003
【図２】
2005176768.tif 000004
【図３】
2005176768.tif 000005
【図４】
2005176768.tif 000006
【図５】
2005176768.tif 000007
【図６】
2005176768.tif 000008
【図７】
2005176768.tif 000009
【図８】
2005176768.tif 000010
【図９】
2005176768.tif 000011